(57)【要約】【課題】幅広い年齢層、個々の体力、様々な練習方法に対応できる素振り練習具を提供することを目的とする。【解決手段】本発明の素振り練習具１０は、手で把持するグリップ部１２と、グリップ部１２から延びるシャフト部１４と、シャフト部１４に沿って摺動する錘部材１６と、シャフト部１４のグリップ部１２側である後端側で錘部材１６の摺動を規制する規制部材１８と、シャフト部１４の先端側で錘部材１６の摺動を止めるストッパー２０と、を備えて構成した。また、規制部材１８からストッパー２０までの摺動長さＨを変えることができるように構成した。【選択図】図１
2008110174.tif 000002
【特許請求の範囲】
【請求項１】
手で把持するグリップ部と、
前記グリップ部から延びるシャフト部と、
前記シャフト部に沿って摺動する錘部材と、
前記シャフト部のグリップ部側である後端側で錘部材の摺動を規制する規制部材と、
前記シャフト部の先端側で前記錘部材の摺動を止めるストッパーと、
を備えた素振り練習具であり、
前記ストッパーの位置を変えることにより、前記規制部材から前記ストッパーまでの摺動長さを変え得る素振り練習具。
【請求項２】
前記規制部材から前記ストッパーまでの摺動長さを変えるために、前記規制部材の前記シャフト部に対する位置を変え得る請求項１に記載する素振り練習具。
【請求項３】
前記ストッパーを前記シャフト部から取り外し可能である請求項１又は請求項２に記載する素振り練習具。
【請求項４】
前記グリップ部の円形断面の直径が２８ｍｍ〜４０ｍｍである請求項１〜請求項３のいずれかに記載する素振り練習具。
【請求項５】
前記シャフト部に沿って摺動し前記ストッパーに当接した錘部材が該ストッパーに対して定着する請求項１〜請求項４のいずれかに記載する素振り練習具。
【請求項６】
前記錘部材の前記ストッパーとの当接面、及び／又は、該ストッパーの該錘部材との当接面に、該錘部材を該ストッパーに対して定着させる定着部材を設けた請求項５に記載する素振り練習具。
【発明の詳細な説明】
【技術分野】
【０００１】
本発明は、野球やソフトボール等のバッティング練習を行うための素振り練習具に関する。
【背景技術】
【０００２】
従来から、野球やソフトボール等のバッティング練習のために、バットの素振りが行われている。また、バッティング練習を行うための素振り練習具が案出されている（例えば、特許文献１参照）。この素振り練習具は、ボールを打ったときの衝撃力、打撃音、感触、臨場感を味わうことを目的とする。しかし、１個の素振り練習具のみでは、幅広い年齢層、各人の体力、様々な練習方法に対応できるものではなかった。
【特許文献１】特開２００５−８０９１２号公報
【発明の開示】
【発明が解決しようとする課題】
【０００３】
本発明の目的は、幅広い年齢層、各人の体力、様々な練習方法に対応できる素振り練習具を提供することである。
【課題を解決するための手段】
【０００４】
本発明の素振り練習具は、手で把持するグリップ部と、前記グリップ部から延びるシャフト部と、前記シャフト部に沿って摺動する錘部材と、前記シャフト部のグリップ部側である後端側で錘部材の摺動を規制する規制部材と、前記シャフト部の先端側で前記錘部材の摺動を止めるストッパーと、を備えた素振り練習具であり、前記ストッパーの位置を変えることにより、前記規制部材から前記ストッパーまでの摺動長さを変え得ることを特徴とする。
【０００５】
また、本発明の素振り練習具は、前記素振り練習具において、前記規制部材から前記ストッパーまでの摺動長さを変えるために、前記規制部材の前記シャフト部に対する位置を変え得ることを特徴とする。
【０００６】
また、本発明の素振り練習具は、前記素振り練習具において、前記ストッパーを前記シャフト部から取り外し可能であることを特徴とする。
【０００７】
また、本発明の素振り練習具は、前記素振り練習具において、前記グリップ部の円形断面の直径が２８ｍｍ〜４０ｍｍであることを特徴とする。
【０００８】
また、本発明の素振り練習具は、前記素振り練習具において、前記シャフト部に沿って摺動し前記ストッパーに当接した錘部材が該ストッパーに対して定着することを特徴とする。
【０００９】
また、本発明の素振り練習具は、前記素振り練習具において、前記錘部材の前記ストッパーとの当接面、及び／又は、該ストッパーの該錘部材との当接面に、該錘部材を該ストッパーに対して定着させる定着部材を設けたことを特徴とする。
【発明の効果】
【００１０】
本発明の素振り練習具によれば、ストッパーの位置を変えることにより、錘部材の規制部材からストッパーまでの摺動長さを変えることができる。このため、幅広い年齢層、各人の体力、様々な練習方法に対応して、素振り練習を行うことができる。
【発明を実施するための最良の形態】
【００１１】
本発明の素振り練習具について、図面に基づいて詳しく説明する。図１において、符号１０は、本発明の素振り練習具を示す。本発明の素振り練習具１０は、手で把持するグリップ部１２と、グリップ部１２から延びるシャフト部１４と、シャフト部１４に沿って摺動する錘部材１６と、シャフト部１４のグリップ部１２側である後端側で錘部材１６の摺動を規制する規制部材１８と、シャフト部１４の先端側で錘部材１６の摺動を止めるストッパー２０と、を備えている。
【００１２】
グリップ部１２は、金属の筒状部材に滑り止め部材を巻いて構成されている。滑り止め部材は、手の衝撃を緩和するために、弾性を有することが好ましい。グリップ部１２は、握れる程度に細い一方で、手首が捻れて傷めない程度に太いことが好ましい。具体的には、グリップ部１２の円形断面の直径が２８ｍｍ〜４０ｍｍであることが好ましい。なお、実際のバットにおけるグリップの標準直径は２５ｍｍである。
【００１３】
シャフト部１４は、上記筒状部材の一部によりグリップ部１２と一体に構成される。使用時には、錘部材１６が摺動しやすいように、グリスが表面に塗布される。なお、錘部材１６を摺動させるため、シャフト部１４の直径は一定である。
【００１４】
錘部材１６は、筒状の硬質ゴム体の内面に、シャフト部１４に対して摺動する筒状部材が固定されて構成されている。図１の錘部材１６の重量は、２５０ｇであるが、年齢、体力、練習目的に応じて異なる重量のものに交換可能である。なお、図１の錘部材１６を使用した素振り練習具１０全体の重量は、８００ｇである。
【００１５】
規制部材１８は、シャフト部１４の先端を上にして立ててバッティングの構え動作をした時に、錘部材１６を支持する部材である。規制部材１８は、ボルト及びナット２２によってシャフト部１４の孔２４に固定され、固定する孔２４を変えることにより、規制部材１８からストッパー２０までの摺動長さＨを変えることができる。
【００１６】
ストッパー２０は、硬質ゴム体から構成され、スウィング動作によってシャフト部１４に沿って摺動した錘部材１６が当接して止まるための部材である。ストッパー２０は、ボルト及びナット２６によってシャフト部１４の孔２８に固定され、固定する孔２８を変えることにより、図４に示すように、規制部材１８からストッパー２０までの摺動長さＨを変えることができる。また、ボルト及びナット２６を外してストッパー２０をシャフト部１４から外せば、錘部材１６の交換が可能である。なお、図１においては、１個のボルト及びナット２６及び孔２８によりストッパー２０をシャフト部１４に固定しているが、夫々複数個であっても良い。また、ストッパー２０及び錘部材１６が、摩擦抵抗の大きいゴム体から成り且つ互いに密着するように構成されており、シャフト部１４に沿って摺動しストッパー２０に当接した錘部材１６がストッパー２０と一体的に移動するように構成されている。
【００１７】
なお、素振り練習具１０全体の長さは、６５ｃｍであり、室内で振りやすい短い寸法に形成されている。また、ストッパー２０の重量は錘部材１６の半分程度であり、スウィングして錘部材１６がストッパー２０に当接した時の錘部材１６のストッパー２０側付近がバットで言う芯（スイートスポット）の位置となるように構成されている。
【００１８】
このような素振り練習具１０による野球のスウィングの練習方法について以下に説明する。まず、図２に示すように、グリップ部１２を手で把持しシャフト部１４を立てて構える。この時、錘部材１６は重力によって下降し規制部材１８上に支持される。次に、ストッパー２０の重みを感じながらシャフト部１４を前へ振り出してスウィングを開始する。スウィングを開始すると遠心力により錘部材１６がストッパー２０に向かってシャフト部１４に沿って摺動を始める。
【００１９】
次に、摺動した錘部材１６は、図３に示すように、ストッパー２０に当接して止まる。バッティングのインパクト時の集中力を高めるために、錘部材１６がストッパー２０に当接する時は、インパクト時の少し前が好ましい。錘部材１６がストッパーに当接した後は、錘部材１６がストッパー２０と一体的に移動するため、インパクトの瞬間には、錘部材１６のストッパー２０側付近がバットの芯の位置となって、錘部材１６及びストッパー２０によりバットの芯及びボールの重みを感じることができる。また、ストッパー２０及び錘部材１６が、ゴム体から成り且つ互いに密着するため、錘部材１６がストッパー２０に対して摺動回転することもない。このため、ストッパー２０及び錘部材１６によりボールを打って練習することも可能である。
【００２０】
ここで、年少者や体力がないため、又はインコースボールのバッティング練習のため、規制部材１８からストッパー２０までの摺動長さＨを短くする必要のある場合、ボルト及びナット２６を孔２８から外してストッパー２０を規制部材１８に向かって摺動させ、図４に示すように、ボルト及びナット２６によって他の孔２８にストッパー２０を固定する。規制部材１８の固定位置を変えずにストッパー２０の固定位置を変えて規制部材１８からストッパー２０までの摺動長さＨを短くすれば、グリップ部１２を持つ位置をシャフト部１４側へ変更する必要がなく、スウィングした時にグリップ部１２が胴体に当たることがない。また、自然なグリップ感覚でスウィングすることができる。
【００２１】
なお、本発明の素振り練習具１０において、規制部材１８からストッパー２０までの摺動長さを変えるためには、ボルト及びナット２２を緩めることにより、規制部材１８のシャフト部１４に対する位置を変えてもよい。このため、本発明の素振り練習具１０によれば、素振りの練習態様に合わせて、ストッパー２０のシャフト部１４に対する位置を変えること、又は、規制部材１８のシャフト部１４に対する位置を変えることのいずれかを選択できる。また、ストッパー２０及び規制部材１８の両方のシャフト部１４に対する位置を変えてもよい。
【００２２】
以上、本発明の素振り練習器の一実施形態について説明したが、本発明は、この実施例に限定されない。
【００２３】
また、本発明の素振り練習具１０において、図５に示すように、錘部材１６のストッパー２０との当接面、及びストッパー２０の錘部材１６との当接面に、錘部材１６をストッパー２０に対して定着させる定着部材３０を設けてもよい。定着部材３０は、多数の突起を表面に有する樹脂若しくは金属板、表面粗度の粗いゴム板、又は磁石等、錘部材１６及びストッパー２０よりも摩擦抵抗係数の高い部材から構成される。この場合、錘部材１６がストッパー２０に当たった後ストッパー２０と一体的に移動するため、実際のボール３２を打つこともできる。このため、より現実のバッティング感覚に近い状態で、素振り練習を行うことができる。また、素振り練習器１０を短く構成しながらも、実際のバットの芯（スイートスポット）に相当する部分にボールを当ててバッティング練習できる。なお、図１の素振り練習器１０においても、実際のボール３２を打つことにより、上述の効果が生じる。
【００２４】
また、規制部材１８からストッパー２０までの摺動長さを変更する手段は、ボルト及びナット２６に限定されず、図６及び図７に示す係合手段３４であってもよい。係合手段３４は、シャフト部１４の溝３６に設けられた複数の係合孔３８に係合される１対の係合部材４０と、係合部材４０と一体となってストッパー２０の長孔４２に沿って摺動する摺動棒４４と、１対の係合部材４０間に設けられたバネ４６とから構成されている。係合孔３８及び係合部材４０の後端側である規制部材１８側は斜面となっているため、ストッパー２０に対して後端側に力を付加すると、１対の係合部材４０がバネ４６の効力に反して互いに接近しつつストッパー２０が溝３６に沿って移動した後、他の係合孔３８に係合されて固定される。一方で、係合孔３８及び係合部材４０の先端側は垂直面となっているため、ストッパー２０に対して先端側に力が付加されてもストッパー２０は移動しない。ストッパー２０を先端側に移動させる場合は、１対の摺動棒４４を摘んで互いに接近させれば、１対の係合部材４０が係合孔３８から解除されてストッパー２０が先端側へ移動可能となる。
【００２５】
以上、本発明の素振り練習具の態様を図面に基づいて説明したが、本発明は図示したものに限定されない。例えば、規制部材１８からストッパー２０までの摺動長さを変更する手段を、シャフト部１４をグリップ部１２内に摺動可能に挿入して固定手段によって固定するように構成してもよい。その他、本発明は、主旨を逸脱しない範囲で当業者の知識に基づき種々なる改良、修正、変更を加えた態様で実施できるものである。
【産業上の利用可能性】
【００２６】
本発明の素振り練習具は、幅広い年齢層、各人の体力、様々な練習方法に対応して、素振り練習を行うことができる。このため、硬式野球、軟式野球又はソフトボール等のバッティング練習のために広く利用出来る。
【図面の簡単な説明】
【００２７】
【図１】本発明の素振り練習具の正面図である。
【図２】図１の素振り練習具の使用状態を示す正面図である。
【図３】図１の素振り練習具の他の使用状態を示す正面図である。
【図４】図１の素振り練習具において、ストッパーの位置を変更した場合を示す正面図である。
【図５】本発明の素振り練習具の他の実施形態を示す一部正面図である。
【図６】本発明の素振り練習具の更に他の実施形態を示す一部正面図である。
【図７】図６の素振り練習具のＡ−Ａ線切断部断面である。
【符号の説明】
【００２８】
１０：素振り練習具
１２：グリップ部
１４：シャフト部
１６：錘部材
１８：規制部材
２０：ストッパー
３０：定着部材
【図１】
2008110174.tif 000003
【図２】
2008110174.tif 000004
【図３】
2008110174.tif 000005
【図４】
2008110174.tif 000006
【図５】
2008110174.tif 000007
【図６】
2008110174.tif 000008
【図７】
2008110174.tif 000009